(57)【特許請求の範囲】
【請求項１】
同報配信制御装置を備えて、同報配信用の論理チャネルにより不特定の移動端末に同報配信を行う機能を有する通信システムに用いられるフェムトセル用基地局であって、
前記フェムトセル用基地局はゲートウェイ装置を介して前記同報配信制御装置に接続され、
同報配信要求を受信した場合、前記ゲートウェイ装置に前記同報配信用の論理チャネルの変更要求を送信する要求送信手段と、
前記要求送信手段による変更要求に対する変更許可通知を前記ゲートウェイ装置から受信した場合、前記同報配信要求に基づく同報配信を行う配信手段と、
前記要求送信手段による変更要求に対する変更不可通知を前記ゲートウェイ装置から受信した場合、前記同報配信要求の送信元である配信元端末に対して配信拒否通知を送信する拒否送信手段と、を備えたことを特徴とするフェムトセル用基地局。
【請求項２】
前記フェムトセル用基地局は前記同報配信制御装置を経由せずに前記配信元端末に接続されて用いられ、
前記同報配信要求を前記配信元端末から受信する受信手段を備えたことを特徴とする請求項１記載のフェムトセル用基地局。
【請求項３】
同報配信制御装置を備えて同報配信用の論理チャネルにより不特定の移動端末に同報配信を行う通信システムにおけるフェムトセル用基地局に接続されて用いられる配信用端末であって、
同報配信を行うための同報配信要求を前記フェムトセル用基地局に送信する要求送信手段と、
前記フェムトセル用基地局から配信許可通知を受信した場合、同報配信メッセージデータを前記フェムトセル用基地局に送信するメッセージ送信手段と、を備えたことを特徴とする配信用端末。
【請求項４】
同報配信制御装置を備えて同報配信用の論理チャネルにより不特定の移動端末に同報配信を行う通信システムであって、
ゲートウェイ装置を介して前記同報配信制御装置に接続され、
同報配信要求を受信した場合、前記ゲートウェイ装置に前記同報配信用の論理チャネルの変更要求を送信する要求送信手段と、
前記要求送信手段による変更要求に対する変更許可通知を前記ゲートウェイ装置から受信した場合、前記同報配信要求に基づく同報配信を行う配信手段と、
を備えるフェムトセル用基地局と、
前記フェムトセル用基地局および前記同報配信制御装置の間に配置されて前記フェムトセル用基地局を前記同報配信制御装置に接続させるゲートウェイ装置であって、
前記フェムトセル用基地局から前記同報配信用の論理チャネルの変更要求を受信した場合、変更可能であれば該フェムトセル用基地局に変更許可通知を送信し、変更不能であれば該フェムトセル用基地局に変更不可通知を送信する要求応答手段を備えるゲートウェイ装置と、
請求項３記載の配信用端末とを備えたことを特徴とする通信システム。
【請求項５】
同報配信制御装置を備えて同報配信用の論理チャネルにより不特定の移動端末に同報配信を行う通信システムであって、
請求項１から２の何れか１項に記載のフェムトセル用基地局と、
前記フェムトセル用基地局および前記同報配信制御装置の間に配置されて前記フェムトセル用基地局を前記同報配信制御装置に接続させるゲートウェイ装置であって、
前記フェムトセル用基地局から前記同報配信用の論理チャネルの変更要求を受信した場合、変更可能であれば該フェムトセル用基地局に変更許可通知を送信し、変更不能であれば該フェムトセル用基地局に変更不可通知を送信する要求応答手段を備えるゲートウェイ装置と、
請求項３記載の配信用端末とを備えたことを特徴とする通信システム。
【請求項６】
同報配信制御装置とフェムトセル用基地局とを備えて同報配信用の論理チャネルにより不特定の移動端末に同報配信を行う通信システムにおける通信方法であって、
前記ゲートウェイ装置は前記フェムトセル用基地局と前記同報配信制御装置との間に配置されて前記フェムトセル用基地局を前記同報配信制御装置に接続させ、
前記フェムトセル用基地局が同報配信要求を受信した場合、前記ゲートウェイ装置に前記同報配信用の論理チャネルの変更要求を送信する要求送信工程と、
前記要求送信工程による変更要求を前記ゲートウェイ装置が受信して変更可能である場合、前記フェムトセル用基地局に変更許可通知を送信する許可送信工程と、
前記許可送信工程による変更許可通知を前記フェムトセル用基地局が受信した場合、前記同報配信要求に基づく同報配信を行う配信工程と、
前記要求送信工程による変更要求を前記ゲートウェイ装置が受信して変更不能である場合、前記フェムトセル用基地局に変更不可通知を送信する不可送信工程と、
前記不可送信工程による変更不可通知を前記フェムトセル用基地局が受信した場合、前記同報配信要求の送信元である配信元端末に対して配信拒否通知を送信する拒否送信工程と、を備えたことを特徴とする通信方法。
【請求項７】
前記フェムトセル用基地局は前記同報配信制御装置を経由せずに前記配信元端末に接続
されて用いられ、
前記フェムトセル用基地局は前記同報配信要求を前記配信元端末から受信することを特
徴とする請求項６記載の通信方法。
【請求項８】
同報配信制御装置を備えて、同報配信用の論理チャネルにより不特定の移動端末に同報配信を行う機能を有する通信システムに用いられるフェムトセル用基地局のプログラムであって、
前記フェムトセル用基地局はゲートウェイ装置を介して前記同報配信制御装置に接続され、
同報配信要求を受信した場合、前記ゲートウェイ装置に前記同報配信用の論理チャネルの変更要求を送信する要求送信手順と、
前記要求送信手順による変更要求に対する変更許可通知を前記ゲートウェイ装置から受信した場合、前記同報配信要求に基づく同報配信を行う配信手順と、
前記要求送信手順による変更要求に対する変更不可通知を前記ゲートウェイ装置から受信した場合、前記同報配信要求の送信元である配信元端末に対して配信拒否通知を送信する拒否送信手順とを前記フェムトセル用基地局のコンピュータに実行させることを特徴とするプログラム。
【請求項９】
前記フェムトセル用基地局は前記同報配信制御装置を経由せずに前記配信元端末に接続
されて用いられ、
前記同報配信要求を前記配信元端末から受信する受信手順を前記要求送信手順の前に前
記フェムトセル用基地局のコンピュータに実行させることを特徴とする請求項８記載のプ
ログラム。
【請求項１０】
同報配信制御装置を備えて同報配信用の論理チャネルにより不特定の移動端末に同報配信を行う通信システムにおけるフェムトセル用基地局に接続されて用いられる配信用端末のプログラムであって、
同報配信を行うための同報配信要求を前記フェムトセル用基地局に送信する要求送信手順と、
前記フェムトセル用基地局から配信許可通知を受信した場合、同報配信メッセージデータを前記フェムトセル用基地局に送信するメッセージ送信手順と、を前記配信用端末のコンピュータに実行させることを特徴とするプログラム。
【発明の詳細な説明】
【技術分野】
【０００１】
本発明は、所定のエリア内に存在する移動端末への同報配信機能を有する通信システムに用いられるフェムトセル用基地局、ゲートウェイ装置、配信用端末、通信システム、方法および装置のプログラムに関する。
【背景技術】
【０００２】
一般に、セルブロードキャストサービス（ＣＢＳ；Cell Broadcast Service）では、例えば地震速報の場合に震度が所定以上である地域など、特定の地理的エリア（１以上のセル）内に位置するすべての移動端末へＣＢＳメッセージを同報配信する。
【０００３】
携帯電話機などの移動端末を呼接続させる既存の公衆移動通信網として、一般的なＷ−ＣＤＭＡ（Wideband Code Division Multiple Access）網におけるＣＢＳメッセージの配信動作について、図３を参照して説明する。
図３は、一般的なＷ−ＣＤＭＡ網におけるＣＢＳ配信システムの構成図である。
【０００４】
まず、ＣＢＳの配信元装置５００が通信事業者のＣＢＣ（Cell Broadcast Center；同報配信制御装置）１０１へＣＢＳメッセージの内容を送信する。ＣＢＣ１０１は配信該当エリアとなるＳＧＳＮ（Serving General packet radio service Support Node）１０２へ、ＳＧＳＮ１０２はＲＮＣ（Radio Network Controller）１０３へ、ＲＮＣ１０３はＢＴＳ（Base Transceiver Station）１０４へＣＢＳメッセージを伝送して、ＢＴＳ１０４配下のMacroセル１０５に在圏している移動端末１０６へと配信する。
【０００５】
また、フェムトセル用基地局を用いて電子広告を送信するシステムとして、ＰＯＳ（Point Of Sale）により購買情報と時刻情報を収集し、その収集情報などを用いて広告配信サーバがユーザの志向を分析したデータベースを構成し、移動端末からの位置登録情報と時刻を契機として、データベースに基づいて電子広告データをフェムトセル用基地局に送信するようにしたものがある（例えば、特許文献１参照）。
【先行技術文献】
【特許文献】
【０００６】
【特許文献１】特開２０１０−１７０４２６号公報
【発明の概要】
【発明が解決しようとする課題】
【０００７】
しかしながら、上述した一般的なＣＢＳは、緊急情報配信として構成されているため、配信エリアが市町村レベルと範囲が広く、限定したＣｅｌｌへのＣＢＳ配信は行われていない。
このため、今後ユーザーサービスによるＣＢＳ配信を考えるとしても、配信エリアの決定はＣＢＣが行っており、特定Ｃｅｌｌに限定したＣＢＳ配信を運用しようとする場合、ＣＢＣで細分化されたＣｅｌｌをデータベース化する必要がある。
【０００８】
さらに、既存のMacroセルにプラスし、上述したFemtoセルが今後各家庭で普及した場合、データベースが巨大化してしまい、必要コストが大きくなってしまう虞がある。
【０００９】
また、上述した特許文献１のものは、ユーザの志向に則した最新情報をリアルタイムで提供しようとするものであり、データベースを必要とせず、簡単な構成でFemtoセル単位のＣＢＳを実現することについてまで考慮されたものではなかった。
【００１０】
本発明はこのような状況に鑑みてなされたものであり、データベースを必要とせず、低コストでFemtoセル単位のＣＢＳを実現できるフェムトセル用基地局、ゲートウェイ装置、配信用端末、通信システム、方法および装置のプログラムを提供することを目的とする。
【課題を解決するための手段】
【００１１】
かかる目的を達成するために、本発明に係るフェムトセル用基地局は、同報配信制御装置を備えて、同報配信用の論理チャネルにより不特定の移動端末に同報配信を行う機能を有する通信システムに用いられるフェムトセル用基地局であって、フェムトセル用基地局はゲートウェイ装置を介して同報配信制御装置に接続され、同報配信要求を受信した場合、ゲートウェイ装置に同報配信用の論理チャネルの変更要求を送信する要求送信手段と、要求送信手段による変更要求に対する変更許可通知をゲートウェイ装置から受信した場合、同報配信要求に基づく同報配信を行う配信手段と、を備えたことを特徴とする。
【００１２】
また、本発明に係るゲートウェイ装置は、同報配信制御装置とフェムトセル用基地局とを備えて同報配信用の論理チャネルにより不特定の移動端末に同報配信を行う通信システムに用いられ、フェムトセル用基地局と同報配信制御装置との間に配置されてフェムトセル用基地局を同報配信制御装置に接続させるゲートウェイ装置であって、フェムトセル用基地局から同報配信用の論理チャネルの変更要求を受信した場合、変更可能であれば該フェムトセル用基地局に変更許可通知を送信し、変更不能であれば該フェムトセル用基地局に変更不可通知を送信する要求応答手段を備えたことを特徴とする。
【００１３】
また、本発明に係る配信用端末は、同報配信制御装置を備えて同報配信用の論理チャネルにより不特定の移動端末に同報配信を行う通信システムにおけるフェムトセル用基地局に接続されて用いられる配信用端末であって、同報配信を行うための同報配信要求をフェムトセル用基地局に送信する要求送信手段と、フェムトセル用基地局から配信許可通知を受信した場合、同報配信メッセージデータをフェムトセル用基地局に送信するメッセージ送信手段と、を備えたことを特徴とする。
【００１４】
また、本発明に係る通信システムは、同報配信制御装置を備えて同報配信用の論理チャネルにより不特定の移動端末に同報配信を行う通信システムであって、上述した本発明に係るフェムトセル用基地局と、フェムトセル用基地局および同報配信制御装置の間に配置される本発明に係るゲートウェイ装置と、本発明に係る配信用端末とを備えたことを特徴とする。
【００１５】
また、本発明に係る通信方法は、同報配信制御装置とフェムトセル用基地局とを備えて同報配信用の論理チャネルにより不特定の移動端末に同報配信を行う通信システムにおける通信方法であって、ゲートウェイ装置はフェムトセル用基地局と同報配信制御装置との間に配置されてフェムトセル用基地局を同報配信制御装置に接続させ、フェムトセル用基地局が同報配信要求を受信した場合、ゲートウェイ装置に同報配信用の論理チャネルの変更要求を送信する要求送信工程と、要求送信工程による変更要求をゲートウェイ装置が受信して変更可能である場合、フェムトセル用基地局に変更許可通知を送信する許可送信工程と、許可送信工程による変更許可通知をフェムトセル用基地局が受信した場合、同報配信要求に基づく同報配信を行う配信工程と、を備えたことを特徴とする。
【００１６】
また、本発明に係るフェムトセル用基地局のプログラムは、同報配信制御装置を備えて、同報配信用の論理チャネルにより不特定の移動端末に同報配信を行う機能を有する通信システムに用いられるフェムトセル用基地局のプログラムであって、フェムトセル用基地局はゲートウェイ装置を介して同報配信制御装置に接続され、同報配信要求を受信した場合、ゲートウェイ装置に同報配信用の論理チャネルの変更要求を送信する要求送信手順と、要求送信手順による変更要求に対する変更許可通知をゲートウェイ装置から受信した場合、同報配信要求に基づく同報配信を行う配信手順と、をフェムトセル用基地局のコンピュータに実行させることを特徴とする。
【００１７】
また、本発明に係るゲートウェイ装置のプログラムは、同報配信制御装置とフェムトセル用基地局とを備えて同報配信用の論理チャネルにより不特定の移動端末に同報配信を行う通信システムに用いられ、フェムトセル用基地局と同報配信制御装置との間に配置されてフェムトセル用基地局を同報配信制御装置に接続させるゲートウェイ装置のプログラムであって、フェムトセル用基地局から同報配信用の論理チャネルの変更要求を受信した場合、変更可能であれば該フェムトセル用基地局に変更許可通知を送信し、変更不能であれば該フェムトセル用基地局に変更不可通知を送信する要求応答手順をゲートウェイ装置のコンピュータに実行させることを特徴とする。
【００１８】
また、本発明に係る配信用端末のプログラムは、同報配信制御装置を備えて同報配信用の論理チャネルにより不特定の移動端末に同報配信を行う通信システムにおけるフェムトセル用基地局に接続されて用いられる配信用端末のプログラムであって、同報配信を行うための同報配信要求をフェムトセル用基地局に送信する要求送信手順と、フェムトセル用基地局から配信許可通知を受信した場合、同報配信メッセージデータをフェムトセル用基地局に送信するメッセージ送信手順と、を配信用端末のコンピュータに実行させることを特徴とする。
【発明の効果】
【００１９】
以上のように、本発明によれば、データベースを必要とせず、低コストでFemtoセル単位のＣＢＳを実現できる。
【図面の簡単な説明】
【００２０】
【図１】本発明の実施形態としての通信システムとそのＣＢＳ配信ルート等を示す図である。
【図２】本実施形態によるＣＢＳメッセージ配信動作を示すシーケンス図である。
【図３】従来のＷ−ＣＤＭＡ網の構成例とそのＣＢＳ配信ルートを示す図である。
【発明を実施するための形態】
【００２１】
次に、本発明に係るフェムトセル用基地局、ゲートウェイ装置、配信用端末、通信システム、方法および装置のプログラムを適用した一実施形態について、図面を用いて詳細に説明する。
【００２２】
本実施形態は、ＣＢＳ配信を行う際にもＣＢＣでのＣｅｌｌ管理を必要とせず、Femtoセル単位で独自にＣＢＳ配信を可能とするものである。
【００２３】
このため、本実施形態では図１に示すように、ＨＮＢ２０２に接続された配信元端末（配信用端末）２０４がＣＢＳ配信元となり、その配信元端末２０４からＣＢＳ配信要求を行う。ＨＮＢ２０２はＣＢＳメッセージ送信に必要な報知情報変更通知をＨＮＢ−ＧＷ２０１へ行う。報知情報変更後、ＣＢＳメッセージを配信元端末２０４からＨＮＢ２０２配下の特定Femtoセル２０３だけに配信する構成となっている。
【００２４】
本実施形態によるFemto通信システム２００は、こうしたＨＮＢ−ＧＷ２０１と、ＨＮＢ２０２とを含んで構成され、ＳＧＳＮ１０２に接続されることで既存のＷ−ＣＤＭＡ網におけるＲＮＣ１０３、ＢＴＳ１０４と同様の役割を果たし、Ｗ−ＣＤＭＡ網１００の一部として移動端末１０６を通信可能に収容できるようになっている。
【００２５】
図１に示すＷ−ＣＤＭＡ網１００を構成するＣＢＣ１０１、ＳＧＳＮ１０２、ＲＮＣ１０３、ＢＴＳ１０４、移動端末１０６については、既存のＷ−ＣＤＭＡ網１００で３ＧＰＰ（Third Generation Partnership Project）等の規格に準拠した処理を行う装置であるため、具体的な処理動作については省略する。既存のＷ−ＣＤＭＡ網に利用されている技術については、例えば3GPP TS 33.234 V8.0.0等に開示されている。
【００２６】
ここで、図３により上述したように一般的なＷ−ＣＤＭＡ網でＣＢＳメッセージを配信する場合、ＣＢＣからのメッセージ送信を受けて、ＣＴＣＨ（Common Traffic Channel）の論理チャネルによりＣＢＳメッセージをＲＮＣ１０３からＢＴＳ１０４、移動端末１０６に配信する。
【００２７】
本実施形態によりＣＢＳを各Femtoセルで配信するためには、このＣＴＣＨをFemto通信システム２００内で独自に制御する必要があり、上位ネットワークであるＷ−ＣＤＭＡ網１００との競合処理を考慮しなくてはいけない。本実施形態では、各Femtoセルの報知情報制御方法について規定する。
【００２８】
Ｗ−ＣＤＭＡシステムの仕様の検討・作成を行っている３ＧＰＰではFemtoセル・ネットワーク・アーキテクチャを検討しており、Femtoセル用基地局のことをＨＮＢ２０２（3G Home Node B）と呼んでいる。またＨＮＢ２０２をコントロールし、ＲＮＣと同じ役割をしているＨＮＢ−ＧＷ（3G HNB gateway）２０１が存在し、ＣＢＳ配信に必要となる報知情報制御はＨＮＢ−ＧＷ２０１で行っている。運用上ＨＮＢ−ＧＷ２０１で報知情報は変更されることがあり、ＨＮＢ２０２で独自に報知情報を変更した場合、ＨＮＢ−ＧＷ２０１が期待した制御ができなくなる恐れがある。このためＨＮＢ２０２の報知情報はＨＮＢ−ＧＷ２０１で制御する必要がある。
【００２９】
このため、本実施形態では、ＨＮＢ２０２とＨＮＢ−ＧＷ２０１間で、ＨＮＢ２０２側から報知情報変更要求を行えるようにする。
【００３０】
図１に示すように、ＰＣ（Personal Computer）などの配信元端末２０４をＨＮＢ２０２に接続し、その配信元端末２０４のアプリケーション上から、ＣＢＳ配信要求をＨＮＢ２０２へ送信し、ＨＮＢ２０２はＨＮＢ−ＧＷ２０１へ報知情報変更要求を送信し、移動端末１０６とＨＮＢ２０２の論理チャネル上にＣＴＣＨをＯｐｅｎさせることで、特定エリアとしてのFemtoセル２０３内の移動端末１０６に対してだけに情報配信を可能とする。
【００３１】
このため、ＣＢＣを経由せずに、ＨＮＢ−ＧＷ２０１と、その管理下のＨＮＢ２０２と、そのＨＮＢ２０２に接続された配信元端末２０４との間でのメッセージ送受信により、自由に特定エリア（Femtoセル２０３）内だけにＣＢＳメッセージの配信ができるようになる。またＣＢＣ１０１でＨＮＢ２０２単位でのデータベース管理を行う必要がないため、実現のためのコストを低く抑えることができる。
【００３２】
このように、本実施形態における配信元端末２０４は、移動端末１０６に配信するＣＢＳメッセージを入力可能とする機能と、そのＣＢＳメッセージを配信するためのＣＢＳ配信要求をＨＮＢ２０２へ送信する機能と、ＣＢＳメッセージ本文を含むメッセージをＨＮＢへ送信する機能とを備える。
【００３３】
また、本実施形態におけるＨＮＢ２０２は、配信元端末２０４から送信されたＣＢＳ配信要求を受信することにより、ＨＮＢ−ＧＷ２０１へＣＴＣＨの変更要求を送信する機能を備える。
【００３４】
また、本実施形態におけるＨＮＢ−ＧＷ２０１は、ＨＮＢ２０２からＣＴＣＨ変更要求を受信することにより、ＣＴＣＨ変更可能であれば、自装置の管理下にあるサービスエリア内の移動端末１０６と自装置の管理下にあるＨＮＢ２０２の両方にＣＴＣＨ確立を要求し、その管理下のサービスエリア内の移動端末１０６と管理下のＨＮＢ２０２間でＣＴＣＨを確立させる機能を備える。
【００３５】
このように、本実施形態は、所定のサービスエリア内の移動端末１０６に対して報知情報を一斉に配信するＣＢＳ配信機能を持つ移動無線携帯端末システムで、上述のような配信元端末２０４、ＨＮＢ２０２、ＨＮＢ−ＧＷ２０１を備え、ＨＮＢ−ＧＷ２０１管理下のサービスエリア内の移動端末１０６と、ＨＮＢ−ＧＷ２０１管理下にあるＨＮＢ２０２間で、ＣＴＣＨ確立後、配信元端末２０４から発信されたＣＢＳメッセージ本文を含むメッセージを、ＨＮＢ−ＧＷ２０１管理下のＨＮＢ２０２経由で移動端末１０６まで放送可能とする。
【００３６】
さらに、上述のようにネットワークにおける特定FemtoセルへのＣＢＳ配信を行うため、フェムトセル管理処理負荷の増加を最小限にでき、フェムトセル管理用設備を追加することなく、特定FemtoセルへのＣＢＳ配信が可能となる。
【００３７】
次に、本実施形態によるＣＢＳメッセージ配信動作について、図２のシーケンス図を参照して説明する。図２は、配信元端末２０４上でのＣＢＳメッセージの作成から送信完了までの動作を示すシーケンス図である。
【００３８】
まず、ＨＮＢ２０２管理者などが配信元端末２０４のアプリケーションでＣＢＳメッセージ作成を行う（ステップＳ１）。この時、ＣＢＳメッセージの配信時刻を設定することが可能となっている。
【００３９】
設定された配信時刻になると、配信元端末２０４は、ＨＮＢ２０２にCBS_START_REQを送信して、ＣＢＳ配信要求を行う（ステップＳ２）。そしてＨＮＢ２０２は、ＨＮＢ−ＧＷ２０１にCTCH_OPEN_REQを送信し（ステップＳ３）、ＣＴＣＨ変更可能かどうかを確認する（ステップＳ４）。
【００４０】
この確認時点で、仮に上位ネットワーク（Ｗ−ＣＤＭＡ網１００）で緊急情報としてのＣＢＳメッセージが配信中であれば競合するため、ステップＳ４では配信を拒否する必要がある。拒否する場合（ステップＳ４：Ｎｏ）、ＨＮＢ−ＧＷ２０１は、ＨＮＢ２０２にCTCH_OPEN_CNF（result: NG）でＣＴＣＨ変更不可を通知し（ステップＳ２１）、これを契機にＨＮＢ２０２は配信元端末２０４にCBS_START_CNF（result: NG）を送信してＣＢＳ配信拒否を通知し（ステップＳ２２）、配信元端末２０４の表示部（不図示）に配信エラーの旨を表示させる（ステップＳ２３）。
【００４１】
上記ステップＳ４の確認時点でＣＴＣＨ変更が可能であれば（ステップＳ４：Ｙｅｓ）、ＨＮＢ−ＧＷ２０１は、移動端末１０６にＣＴＣＨを確立させるSystem Information Block（CTCH ON）を送信し（ステップＳ５）、ＨＮＢ２０２にCTCH_CONFIG_REQ（変更許可通知）を送信してＣＴＣＨ確立要求（ステップＳ６）を行う。こうして移動端末１０６とＨＮＢ２０２にＣＴＣＨを確立させる（ステップＳ７）。
【００４２】
ＨＮＢ−ＧＷ２０１はCTCH_OPEN_CNF（result: OK）でＨＮＢ２０２へＣＴＣＨ完了通知を行い（ステップＳ８）、ＨＮＢ２０２は配信元端末２０４にCBS_START_CNF（result: OK）を送信してＣＢＳ配信許可を通知する（ステップＳ９）。ＨＮＢ２０２は配信元端末２０４から受信したCBS_DATA_IND（ステップＳ１０）をＣＢＳメッセージとして、配下に在圏する各移動端末１０６へ配信する（ステップＳ１１）。移動端末１０６はＣＢＳメッセージを受信すると、表示部（不図示）にその旨を表示する（ステップＳ１２）。
【００４３】
ＣＢＳ配信後、ＨＮＢ２０２は配信元端末２０４へCBS_END_IND（result: OK）を送信してＣＢＳ送信完了通知を行い（ステップＳ１３）、配信元端末２０４の表示部（不図示）に配信完了の旨を表示させる（ステップＳ１４）。また、ＨＮＢ−ＧＷ２０１にはCTCH_CLOSE_REQを送信してＣＴＣＨ解放要求を行う（ステップＳ１５）。
【００４４】
ＣＴＣＨ解放要求を受けたＨＮＢ−ＧＷ２０１は、移動端末１０６にSystem Information Block（CTCH OFF）を（ステップＳ１６）、ＨＮＢ２０２にCTCH_RELEASE_REQを送信して（ステップＳ１７）、移動端末１０６と、ＨＮＢ２０２のＣＴＣＨを解放させる（ステップＳ１８）。
【００４５】
以上のように、上述した実施形態によれば、ＨＮＢ２０４管理者が自宅のＰＣなどの配信元端末２０４から送信指示を行うだけで、特定エリア（Femtoセル２０３）内だけにＣＢＳメッセージの配信ができるようになる。このため、ＣＢＣのデータベース拡張を必要とせず、サービス提供者の自由に、簡単に情報発信が可能となる。
【００４６】
一般的なＣＢＳは、緊急情報配信用としてＣＢＣのデータベースを用いるように構成されているため、今後ユーザサービスとしてＣＢＳを配信する場合を考えるとしても、配信エリアが市町村レベルと範囲が広すぎ、特定施設内などにエリアを限定した情報配信をすることができなかった。
【００４７】
上述した実施形態によれば、上述のように特定のFemtoセル２０３内だけに簡単な構成でＣＢＳメッセージの配信ができるため、例えばテーマパークでは乗り物の混雑情報、大学では休講情報、ショッピングモールではタイムセール情報等、特定の施設内に対象を限定したＣＢＳメッセージをその施設内にいる移動端末だけに一斉配信することができる。このため、ユーザサービスとしてＣＢＳを配信する場合、各種施設についてのサービス向上にも役立てることができる。
【００４８】
なお、上述した各実施形態は本発明の好適な実施形態であり、本発明はこれに限定されることなく、本発明の技術的思想に基づいて種々変形して実施することが可能である。
【００４９】
例えば、上述した実施形態のように配信元端末２０４からＨＮＢ−ＧＷ２０１へ報知情報の変更要求を行うことで、特定のFemtoセル内の移動端末１０６に対してアクセス制限をかける構成であっても本発明は同様に適用することができる。
この構成によれば、例えば学校内で授業中に通話を禁止にする際、ＨＮＢ−ＧＷ２０１に制御通知をすることにより発着信を規制することなどが可能となる。
【００５０】
また、上述した実施形態としてのＨＮＢ−ＧＷ２０１、ＨＮＢ２０２、配信元端末２０４をそれぞれ実現するための処理手順をプログラムとして記録媒体に記録することにより、本発明の各実施形態による上述した各機能を、その記録媒体から供給されるプログラムによって、各装置を構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【００５１】
この本発明に係るプログラムによれば、当該プログラムによって制御される各装置に、上述した実施形態における各機能を実現させることができる。
【００５２】
〔付記〕
上記の実施形態の一部または全部は、以下の付記のようにも記載されうるが、以下に限定されるものではない。
【００５３】
〔付記１〕
同報配信制御装置を備えて、同報配信用の論理チャネルにより不特定の移動端末に同報配信を行う機能を有する通信システムに用いられるフェムトセル用基地局であって、
前記フェムトセル用基地局はゲートウェイ装置を介して前記同報配信制御装置に接続され、
同報配信要求を受信した場合、前記ゲートウェイ装置に前記同報配信用の論理チャネルの変更要求を送信する要求送信手段と、
前記要求送信手段による変更要求に対する変更許可通知を前記ゲートウェイ装置から受信した場合、前記同報配信要求に基づく同報配信を行う配信手段と、を備えたことを特徴とするフェムトセル用基地局。
【００５４】
〔付記２〕
前記要求送信手段による変更要求に対する変更不可通知を前記ゲートウェイ装置から受信した場合、前記同報配信要求の送信元である配信元端末に対して配信拒否通知を送信する拒否送信手段を備えたことを特徴とする付記１記載のフェムトセル用基地局。
【００５５】
〔付記３〕
前記フェムトセル用基地局は前記同報配信制御装置を経由せずに前記配信元端末に接続されて用いられ、
前記同報配信要求を前記配信元端末から受信する受信手段を備えたことを特徴とする付記２記載のフェムトセル用基地局。
【００５６】
〔付記４〕
同報配信制御装置とフェムトセル用基地局とを備えて同報配信用の論理チャネルにより不特定の移動端末に同報配信を行う通信システムに用いられ、前記フェムトセル用基地局と前記同報配信制御装置との間に配置されて前記フェムトセル用基地局を前記同報配信制御装置に接続させるゲートウェイ装置であって、
前記フェムトセル用基地局から前記同報配信用の論理チャネルの変更要求を受信した場合、変更可能であれば該フェムトセル用基地局に変更許可通知を送信し、変更不能であれば該フェムトセル用基地局に変更不可通知を送信する要求応答手段を備えたことを特徴とするゲートウェイ装置。
【００５７】
〔付記５〕
前記要求応答手段は、前記フェムトセル用基地局から前記同報配信用の論理チャネルの変更要求を受信して変更可能である場合、該フェムトセル用基地局の配下に在圏する移動端末に前記同報配信用の論理チャネルの確立要求を送信することを特徴とする付記４記載のゲートウェイ装置。
【００５８】
〔付記６〕
同報配信制御装置を備えて同報配信用の論理チャネルにより不特定の移動端末に同報配信を行う通信システムにおけるフェムトセル用基地局に接続されて用いられる配信用端末であって、
同報配信を行うための同報配信要求を前記フェムトセル用基地局に送信する要求送信手段と、
前記フェムトセル用基地局から配信許可通知を受信した場合、同報配信メッセージデータを前記フェムトセル用基地局に送信するメッセージ送信手段と、を備えたことを特徴とする配信用端末。
【００５９】
〔付記７〕
同報配信制御装置を備えて同報配信用の論理チャネルにより不特定の移動端末に同報配信を行う通信システムであって、
付記１から３の何れか１項に記載のフェムトセル用基地局と、
前記フェムトセル用基地局および前記同報配信制御装置の間に配置される付記４または５記載のゲートウェイ装置と、
付記６記載の配信用端末とを備えたことを特徴とする通信システム。
【００６０】
〔付記８〕
同報配信制御装置とフェムトセル用基地局とを備えて同報配信用の論理チャネルにより不特定の移動端末に同報配信を行う通信システムにおける通信方法であって、
前記ゲートウェイ装置は前記フェムトセル用基地局と前記同報配信制御装置との間に配置されて前記フェムトセル用基地局を前記同報配信制御装置に接続させ、
前記フェムトセル用基地局が同報配信要求を受信した場合、前記ゲートウェイ装置に前記同報配信用の論理チャネルの変更要求を送信する要求送信工程と、
前記要求送信工程による変更要求を前記ゲートウェイ装置が受信して変更可能である場合、前記フェムトセル用基地局に変更許可通知を送信する許可送信工程と、
前記許可送信工程による変更許可通知を前記フェムトセル用基地局が受信した場合、前記同報配信要求に基づく同報配信を行う配信工程と、を備えたことを特徴とする通信方法。
【００６１】
〔付記９〕
前記要求送信工程による変更要求を前記ゲートウェイ装置が受信して変更不能である場合、前記フェムトセル用基地局に変更不可通知を送信する不可送信工程と、
前記不可送信工程による変更不可通知を前記フェムトセル用基地局が受信した場合、前記同報配信要求の送信元である配信元端末に対して配信拒否通知を送信する拒否送信工程と、備えたことを特徴とする付記８記載の通信方法。
【００６２】
〔付記１０〕
前記フェムトセル用基地局は前記同報配信制御装置を経由せずに前記配信元端末に接続されて用いられ、
前記フェムトセル用基地局は前記同報配信要求を前記配信元端末から受信することを特徴とする付記９記載の通信方法。
【００６３】
〔付記１１〕
前記許可送信工程では、前記要求送信工程による変更要求を前記ゲートウェイ装置が受信して変更可能である場合、前記フェムトセル用基地局に変更許可通知を送信すると共に、該フェムトセル用基地局の配下に在圏する移動端末に前記同報配信用の論理チャネルの確立要求を送信することを特徴とする付記８から１０の何れか１項に記載の通信方法。
【００６４】
〔付記１２〕
同報配信制御装置を備えて、同報配信用の論理チャネルにより不特定の移動端末に同報配信を行う機能を有する通信システムに用いられるフェムトセル用基地局のプログラムであって、
前記フェムトセル用基地局はゲートウェイ装置を介して前記同報配信制御装置に接続され、
同報配信要求を受信した場合、前記ゲートウェイ装置に前記同報配信用の論理チャネルの変更要求を送信する要求送信手順と、
前記要求送信手順による変更要求に対する変更許可通知を前記ゲートウェイ装置から受信した場合、前記同報配信要求に基づく同報配信を行う配信手順と、を前記フェムトセル用基地局のコンピュータに実行させることを特徴とするプログラム。
【００６５】
〔付記１３〕
前記要求送信手順による変更要求に対する変更不可通知を前記ゲートウェイ装置から受信した場合、前記同報配信要求の送信元である配信元端末に対して配信拒否通知を送信する拒否送信手順を前記フェムトセル用基地局のコンピュータに実行させることを特徴とする付記１２記載のプログラム。
【００６６】
〔付記１４〕
前記フェムトセル用基地局は前記同報配信制御装置を経由せずに前記配信元端末に接続されて用いられ、
前記同報配信要求を前記配信元端末から受信する受信手順を前記要求送信手順の前に前記フェムトセル用基地局のコンピュータに実行させることを特徴とする付記１３記載のプログラム。
【００６７】
〔付記１５〕
同報配信制御装置とフェムトセル用基地局とを備えて同報配信用の論理チャネルにより不特定の移動端末に同報配信を行う通信システムに用いられ、前記フェムトセル用基地局と前記同報配信制御装置との間に配置されて前記フェムトセル用基地局を前記同報配信制御装置に接続させるゲートウェイ装置のプログラムであって、
前記フェムトセル用基地局から前記同報配信用の論理チャネルの変更要求を受信した場合、変更可能であれば該フェムトセル用基地局に変更許可通知を送信し、変更不能であれば該フェムトセル用基地局に変更不可通知を送信する要求応答手順を前記ゲートウェイ装置のコンピュータに実行させることを特徴とするプログラム。
【００６８】
〔付記１６〕
前記要求応答手順では、前記フェムトセル用基地局から前記同報配信用の論理チャネルの変更要求を受信して変更可能である場合、該フェムトセル用基地局に変更許可通知を送信すると共に、該フェムトセル用基地局の配下に在圏する移動端末に前記同報配信用の論理チャネルの確立要求を送信することを特徴とする付記１５記載のゲートウェイ装置のプログラム。
【００６９】
〔付記１７〕
同報配信制御装置を備えて同報配信用の論理チャネルにより不特定の移動端末に同報配信を行う通信システムにおけるフェムトセル用基地局に接続されて用いられる配信用端末のプログラムであって、
同報配信を行うための同報配信要求を前記フェムトセル用基地局に送信する要求送信手順と、
前記フェムトセル用基地局から配信許可通知を受信した場合、同報配信メッセージデータを前記フェムトセル用基地局に送信するメッセージ送信手順と、を前記配信用端末のコンピュータに実行させることを特徴とするプログラム。
【符号の説明】
【００７０】
１００    Ｗ−ＣＤＭＡ網
１０１    ＣＢＣ
１０２    ＳＧＳＮ
１０３    ＲＮＣ
１０４    ＢＴＳ
１０６    移動端末
２００    Femto通信システム
２０１    ＨＮＢ−ＧＷ
２０２    ＨＮＢ
２０３    Femtoセル
２０４    配信元端末
【図１】
0005698006.tif 000002
【図２】
0005698006.tif 000003
【図３】
0005698006.tif 000004